(57)【要約】      （修正有）【課題】従来よりも除霜のための構成に関する製造コストを低減する冷却システムを提供する。【解決手段】複数のフィン１５９が取り付けられた冷却器１１と、冷却器１１の下方に配置されるヒータ１５０と、ヒータ１５０の下方に配置されるドレン受け１５３と、ヒータ１５０と冷却器１１の間に配置される上カバー１５１と、ヒータ１５０とドレン受け１５３との間に配置される下カバー１５２と、を備える冷却システム２０が提供される。側面視において、複数のフィン１５９の前後方向の幅Ｃよりも、下カバー１５２の前後方向の幅Ｂの方が短く、側面視において、下カバー１５２の前後方向の幅Ｂよりも、上カバー１５１の前後方向の幅Ａの方が短い。【選択図】図６
2017026173.tif 000002
【特許請求の範囲】
【請求項１】
複数のフィンが取り付けられた冷却器と、
前記冷却器の下方に配置されるヒータと、
前記ヒータの下方に配置されるドレン受けと、
前記ヒータと前記冷却器の間に配置される上カバーと、
前記ヒータと前記ドレン受けとの間に配置される下カバーと、を備える冷却システムであって、
側面視において、前記複数のフィンの前後方向の幅よりも、下カバーの前後方向の幅の方が短く、
側面視において、前記下カバーの前後方向の幅よりも、上カバーの前後方向の幅の方が短い、冷却システム。
【請求項２】
前記ヒータから前記冷却器のフィンまでの距離が、前記下カバーから前記ドレン受けまでの距離よりも長い、請求項１に記載の冷却システム。
【請求項３】
前記ヒータから前記冷却器のフィンまでの距離が、前記ヒータから前記ドレン受けまでの距離よりも長い、請求項１または２に記載の冷却システム。
【請求項４】
側面視において、前記下カバーの上方への開放の角度が７０度以上１２０度以下である、請求項１から３のいずれかに記載の冷却システム。
【請求項５】
上記請求項１から４のいずれかに記載の冷却システムを備える冷蔵庫。
【発明の詳細な説明】
【技術分野】
【０００１】
本発明は、圧縮機と蒸発器を備える冷却システムの技術に関し、特に除霜のための技術に関する。
【背景技術】
【０００２】
従来から、圧縮機と蒸発器を備える冷却システムおよび当該冷却システムを搭載する冷蔵庫が知られている。さらに、蒸発器をヒータによって除霜するための技術も知られている。
【０００３】
たとえば、特開２００１−１７４１３４号公報（特許文献１）には、冷蔵庫が開示されている。特開２００１−１７４１３４号公報（特許文献１）によると、冷気ダクト内の蒸発器の下方に設置される除霜ヒータのヒータカバーを、ヒータ本体の前側と後ろ側とをそれぞれ覆う実質２部材の構造でヒータ本体の下方と上方にそれぞれ吸い込み口と吐出口が形成されるようにし、かつ吐出口でヒータカバーの前側部材の上端が後ろ側部材の上端より上方かつ後ろ側に位置すると共に斜め下向きとなる庇をもつようにし、かつ吐出口が冷気ダクトの中心より後ろ側に偏った位置にくるようにした。
【０００４】
また、特開２００５−２０１５２３号公報（特許文献２）には、冷蔵庫が開示されている。特開２００５−２０１５２３号公報（特許文献２）によると、冷却器の下方にガラス管霜取ヒータを配置して除霜を行わせるものにおいて、冷却時に冷却器を流通する戻り空気の流れを妨げず、かつ除霜時に前記冷却器から除霜水が滴下された時、除霜水が前記ガラス管霜取ヒータに直接かからないようにしたヒータ天井カバーを設けることで庫内冷却時に戻り空気の冷却器への通風経路の通風抵抗を減じ冷却効率を高めることができる。
【０００５】
また、特開２００９−１２７９２５号公報（特許文献３）には、除霜ヒータ付き冷却器および物品貯蔵装置が開示されている。特開２００９−１２７９２５号公報（特許文献３）によると、貯蔵室を形成する断熱箱体である冷蔵庫本体内に配設された冷却器は冷却管とフィンとからなり、少なくとも最下段に位置する冷却管にフィンが形成されていない裸管部を有し、冷却器の裸管部には、伝熱板を介して除霜ヒータが固定されているので、冷却管の熱伝導と管内対流の向上が図られ、除霜を効率良く行うことが可能となる。
【先行技術文献】
【特許文献】
【０００６】
【特許文献１】特開２００１−１７４１３４号公報
【特許文献２】特開２００５−２０１５２３号公報
【特許文献３】特開２００９−１２７９２５号公報
【発明の概要】
【発明が解決しようとする課題】
【０００７】
しかしながら、従来よりも冷却システムの除霜のための構成に関する製造コストを低減することが求められている。本発明の目的は、従来よりも冷却システムの除霜のための構成に関する製造コストを低減することにある。
【課題を解決するための手段】
【０００８】
この発明のある態様に従うと、複数のフィンが取り付けられた冷却器と、前記冷却器の下方に配置されるヒータと、前記ヒータの下方に配置されるドレン受けと、前記ヒータと前記冷却器の間に配置される上カバーと、前記ヒータと前記ドレン受けとの間に配置される下カバーと、を備える冷却システムが提供される。側面視において、前記複数のフィンの前後方向の幅よりも、下カバーの前後方向の幅の方が短く、側面視において、前記下カバーの前後方向の幅よりも、上カバーの前後方向の幅の方が短い。
【０００９】
好ましくは、前記ヒータから前記冷却器のフィンまでの距離が、前記下カバーから前記ドレン受けまでの距離よりも長い。
【００１０】
好ましくは、前記ヒータから前記冷却器のフィンまでの距離が、前記ヒータから前記ドレン受けまでの距離よりも長い。
【００１１】
好ましくは、側面視において、前記下カバーの上方への開放の角度が７０度以上１２０度以下である。
【００１２】
この発明の別の態様に従うと、上記の冷却システムを備える冷蔵庫が提供される。
【発明の効果】
【００１３】
以上のように、この発明によれば、従来よりも冷却システムの除霜のための構成に関する製造コストを低減することができる。
【図面の簡単な説明】
【００１４】
【図１】第１の実施の形態にかかる冷蔵庫１００の外側を示す正面図である。
【図２】第１の実施の形態にかかる冷蔵庫１００の内側を示す正面図である。
【図３】第１の実施の形態にかかる冷蔵庫１００の内側を示す側面断面図である。
【図４】第１の実施の形態にかかる冷蔵庫１００の背面内側を示す図である。
【図５】第１の実施の形態にかかる冷蔵庫１００の内側を示す側面図である。
【図６】第１の実施の形態にかかるヒータ１５０近傍を示す側面拡大図である。
【図７】第１の実施の形態にかかるヒータ近傍を示す平面拡大図である。
【図８】第２の実施の形態にかかるヒータ１５０近傍を示す側面拡大図である。
【図９】第３の実施の形態にかかるヒータ１５０近傍を示す側面拡大図である。
【図１０】第４の実施の形態にかかるヒータ１５０近傍を示す側面拡大図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜冷蔵庫の全体構成＞
【００１６】
まず、図１〜図３を参照して、本実施の形態に係る冷蔵庫１００の全体構成について説明する。なお、図１は、本実施の形態にかかる冷蔵庫１００の外側を示す正面図である。図２は、本実施の形態にかかる冷蔵庫１００の内側を示す正面図である。図３は、本実施の形態にかかる冷蔵庫１００の内側を示す側面断面図である。
【００１７】
冷蔵庫１００は、断熱箱体２を含む。断熱箱体２は上部に冷蔵室４を備え、冷蔵室４の下方に冷凍室２１、５が左右に並設される。冷凍室２１、５の下方には冷凍室６が配され、冷凍室６の下方には野菜室７が配される。なお、これらの部屋の機能は、切換可能であることが好ましい。
【００１８】
冷蔵室４と冷凍室２１、５とは断熱壁１８により仕切られ、冷凍室６と野菜室７とは断熱壁１９により仕切られる。断熱壁１８、１９には発泡スチロール等の断熱材が充填される。
【００１９】
冷蔵室４は貯蔵物を冷蔵保存し、前面を左右端でそれぞれ枢支される断熱材から構成される扉４Ｌ、４Ｒにより開閉される。冷蔵室４内には上から順に棚４ｂ、４ｃ、４ｄ、４ｅが並設されている。棚４ｅの下方には正面から見て右側に後述するチルド室７０、左側に給水部１７が設けられている。
【００２０】
冷凍室２１、５、６は内部で連通し、貯蔵物を冷凍保存する。冷凍室２１は詳細を後述するように製氷室を構成する。冷凍室２１の前面は左端で枢支される断熱扉２１ａにより開閉され、冷凍室５の前面は右端で枢支される断熱扉５ａにより開閉される。冷凍室６の前面は引出式の断熱扉６ａにより開閉される。
【００２１】
野菜室７は貯蔵物を冷蔵室４よりも高温の冷蔵温度で冷蔵保存し、野菜や果物などを収納する。野菜室７の前面は引き出し式の断熱扉７ａにより開閉される。
【００２２】
野菜室７の背面側には機械室３０が設けられている。機械室３０には冷凍サイクルの圧縮機３１が配されている。
【００２３】
冷凍室２１は断熱壁１８を介して冷蔵室４の下方に隣接し、製氷皿２２及び貯氷容器２４が配される。製氷皿２２は氷を製氷し、貯氷容器２４は製氷皿２２で製氷された氷を収容する。従って、冷凍室２１は製氷を行う製氷室を構成する。
【００２４】
冷蔵室４の下部に設けられる給水部１７は給水タンク５０、給水パイプ４５及び給水ポンプ４６を備えている。給水タンク５０は着脱可能に設けられ、水を貯める。給水パイプ４５は給水タンク５０から導出され、断熱壁１８を貫通して製氷皿２２上まで延設されている。給水ポンプ４６は給水パイプ４５の経路上に配され、給水ポンプ４６の駆動によって給水タンク５０から製氷皿２２に給水される。
【００２５】
冷凍室５、６の背後には冷気が流通する冷気通路９が設けられる。冷気通路９は冷凍室５、６内に臨む吐出口９ａ及び戻り口９ｂが開口する。冷気通路９には冷凍サイクルの低温部となる冷却器１１が配される。冷却器１１の上方には送風ファン１０が配されている。
【００２６】
冷蔵室４の背後にはダンパ２８を介して冷気通路９に連通する冷気通路８が設けられる。冷気通路８には吐出口８ａ、８ｂが開口する。吐出口８ａは冷蔵室４内に複数設けられ、吐出口８ｂはチルド室７０内に設けられている。
【００２７】
チルド室７０は、側壁７０ａ及び上壁７０ｂにより冷蔵室４から隔離されている。吐出口８ｂはチルド室７０の背面に設けられている。吐出口８ｂは冷却器１１に近い冷気通路８の上流部に設けられているため、チルド室７０内は周囲よりも低温に維持される。なお、側壁７０ａと断熱壁１８との間には隙間が設けられている。
【００２８】
上記構成の冷蔵庫１において、圧縮機３１及び送風ファン１０の駆動によって冷気通路９を流通する空気と冷却器１１とが熱交換して生成された冷気が吐出口９ａから冷凍室５、６、２１に吐出される。吐出口９ａから吐出された冷気は冷凍室５、６、２１内を流通し、戻り口９ｂを介して冷却器１１に戻る。これにより、冷凍室５、６、２１内の冷却が行われる。
【００２９】
ダンパ２８が開かれると冷気通路９から冷気通路８に冷気が流入し、吐出口８ａ、８ｂから冷蔵室４の上部及びチルド室７０にそれぞれ吐出される。吐出口８ａから吐出された冷気は矢印Ｄ１（図３参照）に示すように冷蔵室４の前方へ流通した後に下方に流通する。そして、チルド室７０の側壁７０ａの隙間を介して冷気がチルド室７０に流入し、吐出口８ｂから吐出された冷気とともに図示しない戻り口から流出する。これにより、冷蔵室４内の冷却が行われる。
【００３０】
戻り口から流出した冷気は図示しない連通路を流通し、図示しない吐出口を介して野菜室７に吐出される。野菜室７を流通した冷気は戻り口９ｃを介して冷却器１１に戻る。これにより、野菜室７内が冷却される。
【００３１】
そして、冷却器１１の下方には、冷却器１１を除霜するためのガラス管ヒータ１５０と、当該ヒータ１５０の上方を覆う上カバー１５１と、当該ヒータ１５０の下方を覆う下カバー１５２と、ドレン受け１５３とが配置される。
【００３２】
なお、圧縮機３１、冷却パイプ１５８とフィン１５９を含む冷却器１１、ガラス管ヒータ１５０、上カバー１５１、下カバー１５２、ドレン受け１５３、などのような装置内部空気を冷却するための部材を総称して冷却システム２０という。
＜除霜のための構成＞
【００３３】
以下では、図４〜図７を参照しながら、本実施の形態にかかる冷却器１１を除霜するための構成について説明する。なお、図４は、本実施の形態にかかる冷蔵庫１００の背面内側を示す図である。図５は、本実施の形態にかかる冷蔵庫１００の内側を示す側面図である。図６は、本実施の形態にかかるヒータ１５０近傍を示す側面拡大図である。図７は、本実施の形態にかかるヒータ近傍を示す平面拡大図である。
【００３４】
本実施の形態においては、冷却器１１は、冷却パイプ１５８と複数のフィン１５９とを含む。そして、冷却器１１の下方には、冷却器１１を除霜するためのガラス管ヒータ１５０が配置される。ガラス管ヒータ１５０の下方には、冷却器１１から落ちてくる水を受けるための樹脂製のドレン受け１５３と、ドレン受け１５３からの水を外部に流すためのドレンホース１５４とが配置される。
【００３５】
特に本実施の形態においては、ヒータ１５０と冷却器１１との間には、上カバー１５１が配置される、ヒータ１５０とドレン受け１５３との間には、下カバー１５２が配置される。
【００３６】
これによって、ガラス管ヒータ１５０からの光が冷却器１１のフィン１５９に直接当たらず、ガラス管ヒータ１５０によって温められた上カバー１５１の放射熱によって冷却器１１のフィン１５９が安全に温められる。また、ガラス管ヒータ１５０からの光が樹脂製のドレン受け１５３の底面に直接当たらず、ガラス管ヒータ１５０によって温められた下カバー１５２の放射熱によってドレン受け１５３上に溜まった氷やみぞれが安全に温められる。
【００３７】
上カバー１５１は、側面視において、その前後方向の長さＡがヒータ１５０の前後方向の長さよりも長く形成されている。つまり、平面視において、上カバー１５１は、ヒータ１５０よりも前方まで延設され、ヒータ１５０の後方まで延設される。これによって、冷却器１１から落ちてくる水や氷やみぞれがヒータ１５０に直接かかってしまうことが防止される。
【００３８】
下カバー１５２は、側面視において、その前後方向の長さＢがドレン受け１５３の前後方向の長さよりも短く、フィン１５９の前後方向の長さＣよりも短い。つまり、平面視において、ドレン受け１５３およびフィン１５９は、下カバー１５２よりも前方まで延設され、下カバー１５２の後方まで延設される。
【００３９】
上カバー１５１は、側面視において、その前後方向の長さＡが下カバー１５２の前後方向の長さＢよりも短い。つまり、平面視において、下カバー１５２は、上カバー１５１よりも前方まで延設され、上カバー１５１の後方まで延設される。
【００４０】
なお、図６よりもさらにカバーを小さくすることが好ましい。たとえば、側面視における上カバー１５１の長さ（一直線に伸ばしたときの長さ）が、側面視における下カバー１５２の長さ（一直線に伸ばしたときの長さ）よりも短いことが好ましい。そして、側面視における下カバー１５２の長さ（一直線に伸ばしたときの長さ）が、側面視におけるフィン１５９の前後方向の長さよりも短いことが好ましい。その上で、上カバー１５１によってヒータ１５０からの光がフィン１５９に直接当たらないようにし、下カバー１５２によってヒータ１５０からの光がドレン受け１５３の底面に直接当たらないようにすることが好ましい。なおヒータ１５０の側方は、開放されていても構わない。
【００４１】
これによって、フィン１５９から落ちてくる氷やみぞれが、ドレン受け１５３に直接落ちてしまう虞が生じるが、上カバー１５１や下カバー１５２を小さくすることができるため、製造コストを低減することができる。
【００４２】
そして、本実施の形態においては、ヒータ１５０からフィン１５９までの距離Ｘより、下カバー１５２からドレン受け１５３までの距離Ｙの方が短く形成されている。これによって、ヒータ１５０からの赤外線によって温められたフィン１５９からの放射熱によって、ドレン受け１５３に落ちた氷やみぞれなどを溶かして、スムーズに排出することが可能になる。
【００４３】
さらには、ヒータ１５０からフィン１５９までの距離Ｘより、ヒータ１５０からドレン受け１５３までの距離Ｚの方が短く形成されていることが好ましい。これによって、ヒータ１５０からの赤外線によって温められたフィン１５９からの放射熱によって、ドレン受け１５３に落ちた氷やみぞれなどを溶かして、さらにスムーズに排出することが可能になる。
【００４４】
そして、下カバー１５２の下端の角度θを小さくすることが好ましい。これによって、ヒータ１５０の容量を大きくしても、周囲の部材としてのフィン１５９およびドレン受け１５３がヒータ１５０の直接光にさらされ難くなるため、周囲の部材を安全に暖めることができる。たとえば、下カバー１５２の折れ曲がりの角度θは、７０度以上１２０度以下にすることが好ましい。
【００４５】
以上のように、本実施の形態においては、上カバー１５１や下カバー１５２を小さくして製造コストを低減しながら、フィン１５９やドレン受け１５３を安全に暖めつつ、さらに冷却器１１の下方の空間を小型化することも可能になる。
＜第２の実施の形態＞
【００４６】
上記第１の実施の形態においては、下カバー１５２の折れ曲がりの角度θが、１２０度程度に形成されている。しかしながら、本実施の形態においては、図８に示すように、下カバー１５２Ｂの折れ曲がりの角度θが８５度程度に形成されている。本実施の形態のように、下カバー１５２Ｂの折れ曲がりの角度θは、７０度以上９０度以下にすることが好ましい。これによって、ヒータ１５０の容量を大きくしても、下カバー１５２を大きくすることなく、周囲の部材を安全に暖めることができる。
【００４７】
より詳細には、本実施の形態においても、上カバー１５１は、側面視において、その前後方向の長さＡがヒータ１５０の前後方向の長さよりも長く形成されている。つまり、平面視において、上カバー１５１は、ヒータ１５０よりも前方まで延設され、ヒータ１５０の後方まで延設される。これによって、冷却器１１から落ちてくる水や氷やみぞれがヒータ１５０に直接かかってしまうことが防止される。
【００４８】
下カバー１５２Ｂは、側面視において、その前後方向の長さＢがドレン受け１５３の前後方向の長さよりも短く、フィン１５９の前後方向の長さＣよりも短い。つまり、平面視において、ドレン受け１５３およびフィン１５９は、下カバー１５２Ｂよりも前方まで延設され、下カバー１５２Ｂの後方まで延設される。
【００４９】
上カバー１５１は、側面視において、その前後方向の長さＡが下カバー１５２Ｂの前後方向の長さＢよりも短い。つまり、平面視において、下カバー１５２Ｂは、上カバー１５１よりも前方まで延設され、上カバー１５１の後方まで延設される。
【００５０】
なお、図８よりもさらにカバーを小さくすることが好ましい。たとえば、側面視における上カバー１５１の長さ（一直線に伸ばしたときの長さ）が、側面視における下カバー１５２Ｂの長さ（一直線に伸ばしたときの長さ）よりも短いことが好ましい。そして、側面視における下カバー１５２Ｂの長さ（一直線に伸ばしたときの長さ）が、側面視におけるフィン１５９の前後方向の長さよりも短いことが好ましい。その上で、上カバー１５１によってヒータ１５０からの光がフィン１５９に直接当たらないようにし、下カバー１５２Ｂによってヒータ１５０からの光がドレン受け１５３の底面に直接当たらないようにすることが好ましい。なおヒータ１５０の側方は、開放されていても構わない。
【００５１】
これによって、フィン１５９から落ちてくる氷やみぞれが、ドレン受け１５３に直接落ちてしまう虞が生じるが、上カバー１５１や下カバー１５２Ｂを小さくすることができるため、製造コストを低減することができる。
【００５２】
そして、本実施の形態においては、ヒータ１５０からフィン１５９までの距離Ｘより、下カバー１５２Ｂからドレン受け１５３までの距離Ｙの方が短く形成されている。これによって、ヒータ１５０からの赤外線によって温められたフィン１５９からの放射熱によって、ドレン受け１５３に落ちた氷やみぞれなどを溶かして、スムーズに排出することが可能になる。
【００５３】
さらには、ヒータ１５０からフィン１５９までの距離Ｘより、ヒータ１５０からドレン受け１５３までの距離Ｚの方が短く形成されていることが好ましい。これによって、ヒータ１５０からの赤外線によって温められたフィン１５９からの放射熱によって、ドレン受け１５３に落ちた氷やみぞれなどを溶かして、さらにスムーズに排出することが可能になる。
【００５４】
以上のように、本実施の形態においては、上カバー１５１や下カバー１５２Ｂを小さくして製造コストを低減しながら、フィン１５９やドレン受け１５３を安全に暖めつつ、さらに冷却器１１の下方の空間を小型化することも可能になる。
＜第３の実施の形態＞
【００５５】
上記第１の実施の形態においては、下カバー１５２がＶ字状に形成されている。しかしながら、本実施の形態においては、図９に示すように、下カバー１５２Ｃが、複数個所で折り曲げられて、Ｕ字状に形成されている。この場合も、下カバー１５２Ｃの上方への開放の角度θは、７０度以上１２０度以下、さらに好ましくは７０度以上９０度以下にすることが好ましい。これによって、ヒータ１５０の容量を大きくしても、下カバー１５２を大きくすることなく、周囲の部材を安全に暖めることができる。
【００５６】
より詳細には、本実施の形態においても、上カバー１５１は、側面視において、その前後方向の長さＡがヒータ１５０の前後方向の長さよりも長く形成されている。つまり、平面視において、上カバー１５１は、ヒータ１５０よりも前方まで延設され、ヒータ１５０の後方まで延設される。これによって、冷却器１１から落ちてくる水や氷やみぞれがヒータ１５０に直接かかってしまうことが防止される。
【００５７】
下カバー１５２Ｃは、側面視において、その前後方向の長さＢがドレン受け１５３の前後方向の長さよりも短く、フィン１５９の前後方向の長さＣよりも短い。つまり、平面視において、ドレン受け１５３およびフィン１５９は、下カバー１５２Ｃよりも前方まで延設され、下カバー１５２Ｃの後方まで延設される。
【００５８】
上カバー１５１は、側面視において、その前後方向の長さＡが下カバー１５２Ｃの前後方向の長さＢよりも短い。つまり、平面視において、下カバー１５２Ｃは、上カバー１５１よりも前方まで延設され、上カバー１５１の後方まで延設される。
【００５９】
なお、図９よりもさらにカバーを小さくすることが好ましい。たとえば、側面視における上カバー１５１の長さ（一直線に伸ばしたときの長さ）が、側面視における下カバー１５２Ｃの長さ（一直線に伸ばしたときの長さ）よりも短いことが好ましい。そして、側面視における下カバー１５２Ｃの長さ（一直線に伸ばしたときの長さ）が、側面視におけるフィン１５９の前後方向の長さよりも短いことが好ましい。その上で、上カバー１５１によってヒータ１５０からの光がフィン１５９に直接当たらないようにし、下カバー１５２Ｃによってヒータ１５０からの光がドレン受け１５３の底面に直接当たらないようにすることがこのましい。なおヒータ１５０の側方は、開放されていても構わない。
【００６０】
これによって、フィン１５９から落ちてくる氷やみぞれが、ドレン受け１５３に直接落ちてしまう虞が生じるが、上カバー１５１や下カバー１５２Ｃを小さくすることができるため、製造コストを低減することができる。
【００６１】
そして、本実施の形態においては、ヒータ１５０からフィン１５９までの距離Ｘより、下カバー１５２Ｃからドレン受け１５３までの距離Ｙの方が短く形成されている。これによって、ヒータ１５０からの赤外線によって温められたフィン１５９からの放射熱によって、ドレン受け１５３に落ちた氷やみぞれなどを溶かして、スムーズに排出することが可能になる。
【００６２】
さらには、ヒータ１５０からフィン１５９までの距離Ｘより、ヒータ１５０からドレン受け１５３までの距離Ｚの方が短く形成されていることが好ましい。これによって、ヒータ１５０からの赤外線によって温められたフィン１５９からの放射熱によって、ドレン受け１５３に落ちた氷やみぞれなどを溶かして、さらにスムーズに排出することが可能になる。
【００６３】
以上のように、本実施の形態においては、上カバー１５１や下カバー１５２Ｃを小さくして製造コストを低減しながら、フィン１５９やドレン受け１５３を安全に暖めつつ、さらに冷却器１１の下方の空間を小型化することも可能になる。
＜第４の実施の形態＞
【００６４】
上記第１の実施の形態においては、下カバー１５２がＶ字状に形成されている。しかしながら、本実施の形態においては、図１０に示すように、下カバー１５２Ｄが、円弧状に形成されている。これによって、ヒータ１５０の容量を大きくしても、下カバー１５２を大きくすることなく、周囲の部材を安全に暖めることができる。
【００６５】
より詳細には、本実施の形態においても、上カバー１５１は、側面視において、その前後方向の長さＡがヒータ１５０の前後方向の長さよりも長く形成されている。つまり、平面視において、上カバー１５１は、ヒータ１５０よりも前方まで延設され、ヒータ１５０の後方まで延設される。これによって、冷却器１１から落ちてくる水や氷やみぞれがヒータ１５０に直接かかってしまうことが防止される。
【００６６】
下カバー１５２Ｄは、側面視において、その前後方向の長さＢがドレン受け１５３の前後方向の長さよりも短く、フィン１５９の前後方向の長さＣよりも短い。つまり、平面視において、ドレン受け１５３およびフィン１５９は、下カバー１５２Ｄよりも前方まで延設され、下カバー１５２Ｄの後方まで延設される。
【００６７】
上カバー１５１は、側面視において、その前後方向の長さＡが下カバー１５２Ｄの前後方向の長さＢよりも短い。つまり、平面視において、下カバー１５２Ｄは、上カバー１５１よりも前方まで延設され、上カバー１５１の後方まで延設される。
【００６８】
なお、図１０よりもさらにカバーを小さくすることが好ましい。たとえば、側面視における上カバー１５１の長さ（一直線に伸ばしたときの長さ）が、側面視における下カバー１５２Ｄの長さ（一直線に伸ばしたときの長さ）よりも短いことが好ましい。そして、側面視における下カバー１５２Ｄの長さ（一直線に伸ばしたときの長さ）が、側面視におけるフィン１５９の前後方向の長さよりも短いことが好ましい。その上で、上カバー１５１によってヒータ１５０からの光がフィン１５９に直接当たらないようにし、下カバー１５２Ｄによってヒータ１５０からの光がドレン受け１５３の底面に直接当たらないようにすることが好ましい。なおヒータ１５０の側方は、開放されていても構わない。
【００６９】
これによって、フィン１５９から落ちてくる氷やみぞれが、ドレン受け１５３に直接落ちてしまう虞が生じるが、上カバー１５１や下カバー１５２Ｄを小さくすることができるため、製造コストを低減することができる。
【００７０】
そして、本実施の形態においては、ヒータ１５０からフィン１５９までの距離Ｘより、下カバー１５２Ｄからドレン受け１５３までの距離Ｙの方が短く形成されている。これによって、ヒータ１５０からの赤外線によって温められたフィン１５９からの放射熱によって、ドレン受け１５３に落ちた氷やみぞれなどを溶かして、スムーズに排出することが可能になる。
【００７１】
さらには、ヒータ１５０からフィン１５９までの距離Ｘより、ヒータ１５０からドレン受け１５３までの距離Ｚの方が短く形成されていることが好ましい。これによって、ヒータ１５０からの赤外線によって温められたフィン１５９からの放射熱によって、ドレン受け１５３に落ちた氷やみぞれなどを溶かして、さらにスムーズに排出することが可能になる。
【００７２】
以上のように、本実施の形態においては、上カバー１５１や下カバー１５２Ｄを小さくして製造コストを低減しながら、フィン１５９やドレン受け１５３を安全に暖めつつ、さらに冷却器１１の下方の空間を小型化することも可能になる。
＜上記の複数の実施の形態のまとめ＞
【００７３】
上記の第１〜第４の実施の形態においては、複数のフィン１５９が取り付けられた冷却器１１と、冷却器１１の下方に配置されるヒータ１５０と、ヒータ１５０の下方に配置されるドレン受け１５３と、ヒータ１５０と冷却器１１の間に配置される上カバー１５１と、ヒータ１５０とドレン受け１５３との間に配置される下カバー１５２，１５２Ｂ，１５２Ｃ，１５２Ｄと、を備える冷却システム２０が提供される。側面視において、複数のフィン１５９の前後方向の幅Ｃよりも、下カバー１５２，１５２Ｂ，１５２Ｃ，１５２Ｄの前後方向の幅Ｂの方が短く、側面視において、下カバー１５２，１５２Ｂ，１５２Ｃ，１５２Ｄの前後方向の幅Ｂよりも、上カバー１５１の前後方向の幅Ａの方が短い。
【００７４】
また、上記の第１〜第４の実施の形態においては、ヒータ１５０から冷却器１１のフィン１５９までの距離Ｘが、下カバー１５２，１５２Ｂ，１５２Ｃ，１５２Ｄからドレン受け１５３までの距離Ｙよりも長い。
【００７５】
上記の第１〜第４の実施の形態においては、ヒータ１５０から冷却器１１のフィン１５９までの距離Ｘが、ヒータ１５０からドレン受け１５３までの距離Ｚよりも長い。
【００７６】
上記の第１〜第４の実施の形態においては、側面視において、下カバー１５２，１５２Ｂ，１５２Ｃ，１５２Ｄの上方への開放の角度θが７０度以上１２０度以下である。
【００７７】
上記の第１〜第４の実施の形態においては、上記の冷却システム２０を備える冷蔵庫１００が提供される。
【００７８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７９】
１        ：冷蔵庫
２        ：断熱箱体
４        ：冷蔵室
５        ：冷凍室
６        ：冷凍室
７        ：野菜室
８        ：冷気通路
９        ：冷気通路
１０      ：送風ファン
１１      ：冷却器
１７      ：給水部
２０      ：冷却システム
２１      ：冷凍室
２２      ：製氷皿
２４      ：貯氷容器
２８      ：ダンパ
３０      ：機械室
３１      ：圧縮機
４５      ：給水パイプ
４６      ：給水ポンプ
５０      ：給水タンク
７０      ：チルド室
７０ａ    ：側壁
７０ｂ    ：上壁
１００    ：冷蔵庫
１５０    ：ガラス管ヒータ
１５１    ：上カバー
１５２    ：下カバー
１５２Ｂ  ：下カバー
１５２Ｃ  ：下カバー
１５２Ｄ  ：下カバー
１５３    ：ドレン受け
１５４    ：ドレンホース
１５８    ：冷却パイプ
１５９    ：フィン
Ｘ        ：距離
Ｙ        ：距離
Ｚ        ：距離
θ        ：角度
【図１】
2017026173.tif 000003
【図２】
2017026173.tif 000004
【図３】
2017026173.tif 000005
【図４】
2017026173.tif 000006
【図５】
2017026173.tif 000007
【図６】
2017026173.tif 000008
【図７】
2017026173.tif 000009
【図８】
2017026173.tif 000010
【図９】
2017026173.tif 000011
【図１０】
2017026173.tif 000012